(57)【特許請求の範囲】
【請求項１】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１交流期間および第２交流期間を有し、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
時間的に隣り合う前記第１単位駆動期間の長さは、互いに異なり、
時間的に隣り合う前記第２単位駆動期間の長さは、互いに異なることを特徴とする放電灯駆動装置。
【請求項２】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１交流期間および第２交流期間を有し、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
前記第１交流期間における前記第１極性期間の平均の長さ、および前記第２交流期間における前記第２極性期間の平均の長さは、前記放電灯に供給される駆動電力が小さいほど、小さく設定されることを特徴とする放電灯駆動装置。
【請求項３】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１交流期間および第２交流期間を有し、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
前記第１交流期間内において、複数の前記第１極性期間の長さは、時間的に後に設けられる前記第１極性期間ほど、小さくなるように設定され、
前記第２交流期間内において、複数の前記第２極性期間の長さは、時間的に後に設けられる前記第２極性期間ほど、小さくなるように設定されることを特徴とする放電灯駆動装置。
【請求項４】
前記第１単位駆動期間における、前記第２極性期間の長さに対する前記第１極性期間の長さの比は、３．０以上であり、
前記第２単位駆動期間における、前記第１極性期間の長さに対する前記第２極性期間の長さの比は、３．０以上である、請求項１から３のいずれか一項に記載の放電灯駆動装置。
【請求項５】
前記第１単位駆動期間における前記第２極性期間の長さ、および前記第２単位駆動期間における前記第１極性期間の長さは、１．０ｍｓより小さい、請求項１から４のいずれか一項に記載の放電灯駆動装置。
【請求項６】
前記第１単位駆動期間における前記第２極性期間の長さ、および前記第２単位駆動期間における前記第１極性期間の長さは、０．１６ｍｓ以上である、請求項５に記載の放電灯駆動装置。
【請求項７】
前記第１単位駆動期間における前記第１極性期間の長さ、および前記第２単位駆動期間における前記第２極性期間の長さは、１．０ｍｓ以上である、請求項１から６のいずれか一項に記載の放電灯駆動装置。
【請求項８】
前記第１交流期間の長さ、および前記第２交流期間の長さは、５．０ｍｓ以上である、請求項１から７のいずれか一項に記載の放電灯駆動装置。
【請求項９】
前記第１交流期間の長さ、および前記第２交流期間の長さは、等しい、請求項１から８のいずれか一項に記載の放電灯駆動装置。
【請求項１０】
前記第１交流期間の長さ、および前記第２交流期間の長さは、互いに異なる、請求項１から８のいずれか一項に記載の放電灯駆動装置。
【請求項１１】
前記駆動電流は、前記放電灯に交流電流が供給される第３交流期間を有し、
前記第３交流期間は、
前記第１極性期間の長さと前記第２極性期間の長さとが等しい第３単位駆動期間が複数連続して構成され、
前記第１交流期間と前記第２交流期間とのうちの少なくとも一方の直後に設けられる、請求項１から１０のいずれか一項に記載の放電灯駆動装置。
【請求項１２】
前記第１交流期間の長さ、および前記第２交流期間の長さは、前記放電灯に供給される駆動電力が小さいほど、大きく設定される、請求項１から１１のいずれか一項に記載の放電灯駆動装置。
【請求項１３】
前記第１電極と前記第２電極との間の電極間電圧を検出する電圧検出部をさらに備え、
前記第１交流期間の長さ、および前記第２交流期間の長さは、前記電極間電圧が大きいほど、大きく設定される、請求項１から１２のいずれか一項に記載の放電灯駆動装置。
【請求項１４】
前記第１電極と前記第２電極との間の電極間電圧を検出する電圧検出部をさらに備え、
前記第１交流期間における前記第１極性期間の平均の長さ、および前記第２交流期間における前記第２極性期間の平均の長さは、前記電極間電圧が大きいほど、小さく設定される、請求項１から１２のいずれか一項に記載の放電灯駆動装置。
【請求項１５】
前記第１交流期間内において、前記第２極性期間を挟んで時間的に隣り合う前記第１極性期間の長さは、互いに異なり、
前記第２交流期間内において、前記第１極性期間を挟んで時間的に隣り合う前記第２極性期間の長さは、互いに異なる、請求項１から１３のいずれか一項に記載の放電灯駆動装置。
【請求項１６】
時間的に隣り合う前記第１単位駆動期間において前記第２極性期間の長さに対する前記第１極性期間の長さの比は、互いに異なり、
時間的に隣り合う前記第２単位駆動期間において前記第１極性期間の長さに対する前記第２極性期間の長さの比は、互いに異なる、請求項１から１５のいずれか一項に記載の放電灯駆動装置。
【請求項１７】
光を射出する前記放電灯と、
請求項１から１６のいずれか一項に記載の放電灯駆動装置と、
を備えることを特徴とする光源装置。
【請求項１８】
請求項１７に記載の光源装置と、
前記光源装置から射出される光を映像信号に応じて変調する光変調素子と、
前記光変調素子により変調された光を投射する投射光学系と、
を備えることを特徴とするプロジェクター。
【請求項１９】
第１電極および第２電極を有する放電灯に駆動電流を供給して、前記放電灯を駆動させる放電灯駆動方法であって、
前記放電灯に交流電流が供給される第１交流期間と、前記放電灯に交流電流が供給される第２交流期間と、を有する駆動電流を前記放電灯に供給するステップを備え、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
時間的に隣り合う前記第１単位駆動期間の長さは、互いに異なり、
時間的に隣り合う前記第２単位駆動期間の長さは、互いに異なることを特徴とする放電灯駆動方法。
【請求項２０】
第１電極および第２電極を有する放電灯に駆動電流を供給して、前記放電灯を駆動させる放電灯駆動方法であって、
前記放電灯に交流電流が供給される第１交流期間と、前記放電灯に交流電流が供給される第２交流期間と、を有する駆動電流を前記放電灯に供給するステップを備え、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
前記第１交流期間における前記第１極性期間の平均の長さ、および前記第２交流期間における前記第２極性期間の平均の長さを、前記放電灯に供給される駆動電力が小さいほど、小さく設定することを特徴とする放電灯駆動方法。
【請求項２１】
第１電極および第２電極を有する放電灯に駆動電流を供給して、前記放電灯を駆動させる放電灯駆動方法であって、
前記放電灯に交流電流が供給される第１交流期間と、前記放電灯に交流電流が供給される第２交流期間と、を有する駆動電流を前記放電灯に供給するステップを備え、
前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、
前記第２交流期間は、前記第１極性期間と前記第２極性期間とからなり前記第２極性期間の長さが前記第１極性期間の長さよりも大きい第２単位駆動期間が複数連続して構成され、
前記第１交流期間内において、複数の前記第１極性期間の長さを、時間的に後に設けられる前記第１極性期間ほど、小さくなるように設定し、
前記第２交流期間内において、複数の前記第２極性期間の長さを、時間的に後に設けられる前記第２極性期間ほど、小さくなるように設定することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
放電灯が劣化してランプ電圧が低下すると、電極が溶融しにくくなるため、電極先端の突起が細くなり、放電灯の劣化が加速的に進行する問題が知られている。
これに対して、例えば、特許文献１に示すように、放電灯に供給される交流電流の間に直流電流を挿入し、放電灯の劣化状態の進行に伴って直流電流成分を増加させる方法が提案されている。
【先行技術文献】
【特許文献】
【０００３】
【特許文献１】特開２０１１−２３２８８号公報
【発明の概要】
【発明が解決しようとする課題】
【０００４】
しかしながら、上記のような方法では、直流電流によって陽極となる側の電極先端の突起の溶融量が向上される一方で、陰極となる側の電極の温度は低下するため、陰極となる側の電極先端の形状が変形し、フリッカーが生じる問題があった。したがって、放電灯の寿命を十分に向上できない場合があった。
【０００５】
本発明の一つの態様は、上記問題点に鑑みて成されたものであって、放電灯の寿命を向上できる放電灯駆動装置、そのような放電灯駆動装置を備える光源装置、およびそのような光源装置を備えるプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、第１電極および第２電極を有する放電灯に駆動電流を供給する放電灯駆動部と、前記放電灯駆動部を制御する制御部と、を備え、前記駆動電流は、前記放電灯に交流電流が供給される第１交流期間および第２交流期間を有し、前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、前記第２交流期間は、前記第１極性期間と前記第２極性期間とからなり前記第２極性期間の長さが前記第１極性期間の長さよりも大きい第２単位駆動期間が複数連続して構成されることを特徴とする。
【０００７】
本発明の放電灯駆動装置の一つの態様によれば、第１交流期間を構成する第１単位駆動期間において、第２極性期間の長さに対する第１極性期間の長さの比が１より大きい。そのため、第１交流期間において、第１極性期間の長さの合計が、第２極性期間の長さの合計よりも大きくなり、第１極性期間において陽極となる第１電極における先端の突起の溶融量を向上できる。一方で、第１交流期間を構成する複数の第１単位駆動期間ごとに、第１極性期間よりも短い時間、反対極性となる第２極性期間が設けられているため、第２極性期間において陽極となる第２電極の温度が低下することを抑制できる。これにより、第２電極における先端の突起が変形することを抑制でき、フリッカーが生じることを抑制できる。第２交流期間においても、第１電極と第２電極とが逆となることを除いて同様である。
【０００８】
したがって、本発明の放電灯駆動装置の一つの態様によれば、加熱される側の電極における先端の突起の溶融量を向上させつつ、加熱されるのと逆側の電極における先端の突起の変形を抑制してフリッカーを抑制できるため、放電灯の寿命を向上できる放電灯駆動装置が得られる。
なお、加熱される側の電極とは、第１交流期間においては第１電極であり、第２交流期間においては、第２電極である。
【０００９】
前記第１単位駆動期間における、前記第２極性期間の長さに対する前記第１極性期間の長さの比は、３．０以上であり、前記第２単位駆動期間における、前記第１極性期間の長さに対する前記第２極性期間の長さの比は、３．０以上である構成としてもよい。
この構成によれば、加熱されるのと逆側の電極の温度が低下することを抑制しつつ、加熱される側の電極における先端の突起の溶融量をより向上できる。
【００１０】
前記第１単位駆動期間における前記第２極性期間の長さ、および前記第２単位駆動期間における前記第１極性期間の長さは、１．０ｍｓより小さい構成としてもよい。
この構成によれば、加熱される側の電極が陽極となる時間を、相対的に大きくできるため、加熱される側の電極における先端の突起の溶融量をより向上できる。
【００１１】
前記第１単位駆動期間における前記第２極性期間の長さ、および前記第２単位駆動期間における前記第１極性期間の長さは、０．１６ｍｓ以上である構成としてもよい。
この構成によれば、加熱されるのと逆側の電極の温度が低下することを抑制できる。
【００１２】
前記第１単位駆動期間における前記第１極性期間の長さ、および前記第２単位駆動期間における前記第２極性期間の長さは、１．０ｍｓ以上である構成としてもよい。
この構成によれば、加熱される側の電極における先端の突起の溶融量をより向上できる。
【００１３】
前記第１交流期間の長さ、および前記第２交流期間の長さは、５．０ｍｓ以上である構成としてもよい。
この構成によれば、加熱される側の電極における先端の突起の溶融量をより向上できる。
【００１４】
前記第１交流期間の長さ、および前記第２交流期間の長さは、等しい構成としてもよい。
この構成によれば、第１電極と第２電極とをバランスよく加熱して溶融させることができる。
【００１５】
前記第１交流期間の長さ、および前記第２交流期間の長さは、互いに異なる構成としてもよい。
この構成によれば、第１交流期間と第２交流期間とのうちの長い方の期間において、加熱される側の電極の温度をより高くすることができるため、突起の溶融量をより向上できる。
【００１６】
前記駆動電流は、前記放電灯に交流電流が供給される第３交流期間を有し、前記第３交流期間は、前記第１極性期間の長さと前記第２極性期間の長さとが等しい第３単位駆動期間が複数連続して構成され、前記第１交流期間と前記第２交流期間とのうちの少なくとも一方の直後に設けられる構成としてもよい。
この構成によれば、突起の形状や、成長度合いを制御できる。
【００１７】
前記第１交流期間の長さは、前記放電灯に供給される駆動電力が小さいほど、大きく設定される構成としてもよい。
この構成によれば、駆動電力が小さい場合に、第１電極における突起の溶融量を向上できる。
【００１８】
前記第１交流期間における前記第１極性期間の平均の長さは、前記放電灯に供給される駆動電力が小さいほど、小さく設定される構成としてもよい。
この構成によれば、駆動電力が小さい場合において、第１交流期間の長さを大きくした際に、加熱されるのと逆側の第２電極の温度が低下することを抑制できる。
【００１９】
前記第１電極と前記第２電極との間の電極間電圧を検出する電圧検出部をさらに備え、前記第１交流期間の長さは、前記電極間電圧が大きいほど、大きく設定される構成としてもよい。
この構成によれば、電極間電圧が大きい場合に、第１電極における突起の溶融量を向上できる。
【００２０】
前記第１交流期間における前記第１極性期間の平均の長さは、前記電極間電圧が大きいほど、小さく設定される構成としてもよい。
この構成によれば、電極間電圧が大きい場合において、第１交流期間の長さを大きくした際に、加熱されるのと逆側の第２電極の温度が低下することを抑制できる。
【００２１】
時間的に隣り合う前記第１単位駆動期間の長さは、互いに異なる構成としてもよい。
この構成によれば、例えば、プロジェクターに搭載した際に、電極の極性の切換えによる駆動電流のオーバーシュートがプロジェクターの液晶パネルと干渉してノイズを生じることを抑制できる。
【００２２】
前記第１交流期間内において、前記第２極性期間を挟んで時間的に隣り合う前記第１極性期間の長さは、互いに異なる構成としてもよい。
この構成によれば、第１交流期間において、第１極性期間ごとに第１電極に与える熱負荷が変動するため、突起の成長が安定する。
【００２３】
前記第１交流期間内において、複数の前記第１極性期間の長さは、時間的に後に設けられる前記第１極性期間ほど、小さくなるように設定される構成としてもよい。
この構成によれば、加熱されるのと逆側の第２電極の温度が低下することを抑制できる。
【００２４】
本発明の光源装置の一つの態様は、光を射出する前記放電灯と、上記の放電灯駆動装置と、を備えることを特徴とする。
【００２５】
本発明の光源装置の一つの態様によれば、上記の放電灯駆動装置を備えるため、放電灯の寿命を向上できる光源装置が得られる。
【００２６】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００２７】
本発明のプロジェクターの一つの態様によれば、上記の光源装置を備えるため、放電灯の寿命を向上できるプロジェクターが得られる。
【００２８】
本発明の放電灯駆動方法の一つの態様は、第１電極および第２電極を有する放電灯に駆動電流を供給して、前記放電灯を駆動させる放電灯駆動方法であって、前記放電灯に交流電流が供給される第１交流期間と、前記放電灯に交流電流が供給される第２交流期間と、を有する駆動電流を前記放電灯に供給するステップを備え、前記第１交流期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成され、前記第２交流期間は、前記第１極性期間と前記第２極性期間とからなり前記第２極性期間の長さが前記第１極性期間の長さよりも大きい第２単位駆動期間が複数連続して構成されることを特徴とする。
【００２９】
本発明の放電灯駆動方法の一つの態様によれば、上述したのと同様にして、放電灯の寿命を向上できる。
【図面の簡単な説明】
【００３０】
【図１】第１実施形態のプロジェクターの概略構成図である。
【図２】第１実施形態における放電灯の断面図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６】放電灯の電極先端の突起の様子を示す図である。
【図７】第１実施形態の駆動電流波形を示す図である。
【図８】第２実施形態の駆動電流波形を示す図である。
【図９】第３実施形態の駆動電流波形を示す図である。
【発明を実施するための形態】
【００３１】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００３２】
＜第１実施形態＞
図１に示すように、本実施形態のプロジェクター５００は、光源装置２００と、平行化レンズ３０５と、照明光学系３１０と、色分離光学系３２０と、３つの液晶ライトバルブ３３０Ｒ，３３０Ｇ，３３０Ｂ（光変調素子）と、クロスダイクロイックプリズム３４０と、投射光学系３５０と、を備えている。
【００３３】
光源装置２００から射出された光は、平行化レンズ３０５を通過して照明光学系３１０に入射する。平行化レンズ３０５は、光源装置２００からの光を平行化する。
【００３４】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３５】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂによりそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００３６】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００３７】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００３８】
放電灯点灯装置１０は、放電灯９０に駆動電力（駆動電流）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００３９】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００４０】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００４１】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００４２】
第１端子５３６および第２端子５４６は、放電灯点灯装置１０に接続されている。放電灯点灯装置１０は、第１端子５３６および第２端子５４６に、放電灯９０を駆動するための駆動電力Ｗｄを供給する。その結果、第１電極９２および第２電極９３の間でアーク放電が起きる。アーク放電により発生した光（放電光）は、破線の矢印で示すように、放電位置から全方向に向かって放射される。
【００４３】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４４】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００４５】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の筐体（図示せず）に固定してもよい。副反射鏡５０についても同様である。
【００４６】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４７】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４８】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４９】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００５０】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００５１】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００５２】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００５３】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部（電圧検出部）６０と、イグナイター回路７０と、を備えている。
【００５４】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００５５】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５６】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５７】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５８】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５９】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００６０】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００６１】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００６２】
本実施形態において、電力制御回路２０と極性反転回路３０とを合わせた部分が放電灯駆動部２３０に対応する。すなわち、放電灯駆動部２３０は、放電灯９０を駆動する駆動電流Ｉ（駆動電力）を放電灯９０に供給する。
【００６３】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００６４】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６５】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００６６】
本実施形態においては、システムコントローラー４１は、記憶部４４を含んで構成されている。記憶部４４は、システムコントローラー４１とは独立に設けられてもよい。
【００６７】
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００６８】
電力制御回路コントローラー４２は、システムコントローラー４１からの制御信号に基づき、電力制御回路２０へ電流制御信号を出力することにより、電力制御回路２０を制御する。
【００６９】
極性反転回路コントローラー４３は、システムコントローラー４１からの制御信号に基づき、極性反転回路３０へ極性反転制御信号を出力することにより、極性反転回路３０を制御する。
【００７０】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００７１】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００７２】
図４に示した例では、制御部４０は、放電灯点灯装置１０の一部として構成されている。これに対して、制御部４０の機能の一部をＣＰＵ５８０が担うように構成されていてもよい。
【００７３】
動作検出部６０は、本実施形態においては、放電灯９０のランプ電圧を検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００７４】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７５】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７６】
図６（ａ），（ｂ）には、第１電極９２および第２電極９３の先端部分が示されている。第１電極９２および第２電極９３の先端にはそれぞれ突起５５２ｐ，５６２ｐが形成されている。第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７７】
図６（ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７８】
図６（ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７９】
このように、放電灯９０に駆動電流Ｉが供給されることで、電子が衝突する陽極の温度は上昇する。一方、電子を放出する陰極は、陽極に向けて電子を放出している間、温度は低下する。
【００８０】
次に、制御部４０による放電灯駆動部２３０の制御について説明する。
図７は、本実施形態の放電灯９０に供給される駆動電流Ｉの駆動電流波形ＤＷ１を示す図である。図７において、縦軸は駆動電流Ｉを示しており、横軸は時間Ｔを示している。
本実施形態において制御部４０は、図７に示す駆動電流波形ＤＷ１に従って放電灯駆動部２３０を制御する。
【００８１】
［駆動電流波形］
駆動電流波形ＤＷ１は、図７に示すように、複数の制御サイクルＣ１が連続して構成される。制御サイクルＣ１は、第１交流期間ＰＨ１１と、第２交流期間ＰＨ２１と、を含む。すなわち、駆動電流波形ＤＷ１（駆動電流Ｉ）は、第１交流期間ＰＨ１１と、第２交流期間ＰＨ２１と、を有する。第１交流期間ＰＨ１１と第２交流期間ＰＨ２１とは、駆動電流Ｉとして、電流値Ｉｍ１と電流値−Ｉｍ１との間で極性が反転される交流電流が放電灯９０に供給される期間である。
【００８２】
（交流期間）
第１交流期間ＰＨ１１は、第１電極９２が加熱される期間である。第１交流期間ＰＨ１１は、第１電極９２が陽極となる第１極性期間Ｐ１１ａと第２電極９３が陽極となる第２極性期間Ｐ１１ｂとからなる第１単位駆動期間Ｕ１１が複数連続して構成されている。本実施形態においては、第１交流期間ＰＨ１１は、例えば、６つの第１単位駆動期間Ｕ１１、すなわち、第１単位駆動期間Ｕ１１ａと、第１単位駆動期間Ｕ１１ｂと、第１単位駆動期間Ｕ１１ｃと、第１単位駆動期間Ｕ１１ｄと、第１単位駆動期間Ｕ１１ｅと、第１単位駆動期間Ｕ１１ｆと、がこの順で連続して構成されている。
【００８３】
第２交流期間ＰＨ２１は、第２電極９３が加熱される期間である。第２交流期間ＰＨ２１は、第１電極９２が陽極となる第１極性期間Ｐ２１ａと第２電極９３が陽極となる第２極性期間Ｐ２１ｂとからなる第２単位駆動期間Ｕ２１が複数連続して構成されている。本実施形態においては、第２交流期間ＰＨ２１は、例えば、６つの第２単位駆動期間Ｕ２１、すなわち、第２単位駆動期間Ｕ２１ａと、第２単位駆動期間Ｕ２１ｂと、第２単位駆動期間Ｕ２１ｃと、第２単位駆動期間Ｕ２１ｄと、第２単位駆動期間Ｕ２１ｅと、第２単位駆動期間Ｕ２１ｆと、がこの順で連続して構成されている。
【００８４】
本実施形態の駆動電流波形ＤＷ１においては、第１交流期間ＰＨ１１と第２交流期間ＰＨ２１とは、極性が反転している点を除いて同様の波形を有する。すなわち、各第１単位駆動期間Ｕ１１ａ〜Ｕ１１ｆにおける第１極性期間Ｐ１１ａの長さｔ１１ａは、各第２単位駆動期間Ｕ２１ａ〜Ｕ２１ｆにおける第２極性期間Ｐ２１ｂの長さｔ２１ｂとそれぞれ同じである。各第１単位駆動期間Ｕ１１ａ〜Ｕ１１ｆにおける第２極性期間Ｐ１１ｂの長さｔ１１ｂは、各第２単位駆動期間Ｕ２１ａ〜Ｕ２１ｆにおける第１極性期間Ｐ２１ａの長さｔ２１ａと同じである。
【００８５】
そのため、本実施形態においては、第１交流期間ＰＨ１１の長さｔ１１と第２交流期間ＰＨ２１の長さｔ２１とは、等しい。
本実施形態において、第１交流期間ＰＨ１１の長さｔ１１および第２交流期間ＰＨ２１の長さｔ２１は、例えば、５．０ｍｓ（ミリ秒）以上に設定される。このように設定することで、第１電極９２および第２電極９３における突起５５２ｐおよび突起５６２ｐの溶融量を向上できる。
【００８６】
なお、本明細書において、２つの期間の長さが等しいとは、２つの期間の長さが厳密に同一である場合だけでなく、２つの期間の長さの比が、０．９以上、１．１以下程度である範囲を含む。
【００８７】
上述したように、本実施形態においては、第１交流期間ＰＨ１１と第２交流期間ＰＨ２１とは、極性が反転していることを除いて同様の波形を有するため、以下の説明においては、代表して第１交流期間ＰＨ１１についてのみ説明する場合がある。
【００８８】
（単位駆動期間）
第１交流期間ＰＨ１１の第１単位駆動期間Ｕ１１において、第２極性期間Ｐ１１ｂの長さｔ１１ｂに対する第１極性期間Ｐ１１ａの長さｔ１１ａの比は、１より大きい。言い換えると、第１単位駆動期間Ｕ１１において、第２極性に保持される保持時間に対する第１極性に保持される保持時間の保持時間比は、所定値Ｘ（Ｘ＞１）以上となるように設定される。そのため、第１単位駆動期間Ｕ１１においては、第１極性期間Ｐ１１ａの長さｔ１１ａは、第２極性期間Ｐ１１ｂの長さｔ１１ｂより大きい。
【００８９】
これにより、複数の第１単位駆動期間Ｕ１１が連続して構成されている第１交流期間ＰＨ１１においては、第１極性期間Ｐ１１ａの長さｔ１１ａの合計が、第２極性期間Ｐ１１ｂの長さｔ１１ｂの合計より大きい。したがって、第１交流期間ＰＨ１１においては、第１極性期間Ｐ１１ａにおいて陽極となる第１電極９２が加熱される。
【００９０】
本実施形態においては、例えば、上記の所定値Ｘは、３．０以上に設定される。言い換えると、第１交流期間ＰＨ１１における、第２極性期間Ｐ１１ｂの長さｔ１１ｂに対する第１極性期間Ｐ１１ａの長さｔ１１ａの比（保持時間比）は、３．０以上である。
このように設定することで、加熱されるのと逆の電極、すなわち、第１交流期間ＰＨ１１においては第２電極９３の温度が低下することを抑制しつつ、第１交流期間ＰＨ１１において加熱される第１電極９２の溶融量をより向上できる。
【００９１】
本実施形態においては、各第１単位駆動期間Ｕ１１ａ〜Ｕ１１ｆの長さは、互いに異なる。これにより、本実施形態においては、時間的に隣り合う第１単位駆動期間Ｕ１１の長さは、互いに異なる。
【００９２】
本実施形態においては、例えば、第１単位駆動期間Ｕ１１における第１極性期間Ｐ１１ａの長さｔ１１ａは、１．０ｍｓ（ミリ秒）以上である。言い換えると、第１極性期間Ｐ１１ａの長さｔ１１ａは、５００Ｈｚの交流電流の半周期の長さ以上である。
このように設定することで、第１電極９２における先端の突起５５２ｐの溶融量を効果的に向上できる。
【００９３】
また、第１単位駆動期間Ｕ１１における第１極性期間Ｐ１１ａの長さｔ１１ａは、５．０ｍｓ（ミリ秒）以下、すなわち、１００Ｈｚの交流電流の半周期の長さ以下が好ましい。第１極性期間Ｐ１１ａにおいて陰極である第２電極９３の温度が低下することを効果的に抑制できるためである。
【００９４】
本実施形態においては、例えば、各第１単位駆動期間Ｕ１１ａ〜Ｕ１１ｆにそれぞれ含まれる第１極性期間Ｐ１１ａの長さｔ１１ａは、互いに異なる。これにより、第１交流期間ＰＨ１１において、第２極性期間Ｐ１１ｂを挟んで隣り合う第１極性期間Ｐ１１ａの長さｔ１１ａは、互いに異なる。
【００９５】
本実施形態において、第１単位駆動期間Ｕ１１における第２極性期間Ｐ１１ｂの長さｔ１１ｂは、例えば、約０．１６ｍｓ（ミリ秒）以上であり、かつ、１．０ｍｓ（ミリ秒）より小さい。言い換えると、第２極性期間Ｐ１１ｂの長さｔ１１ｂは、３ｋＨｚの交流電流の半周期の長さ以上であり、かつ、５００Ｈｚの交流電流の半周期の長さより小さい。
このように設定することで、第１交流期間ＰＨ１１において、第２電極９３の温度が低下することを抑制しつつ、第１電極９２の溶融量をより向上できる。
【００９６】
第１交流期間ＰＨ１１における第１単位駆動期間Ｕ１１の第１極性期間Ｐ１１ａの長さｔ１１ａおよび第２極性期間Ｐ１１ｂの長さｔ１１ｂの一例を表１に示す。表１においては、合わせて第２極性期間Ｐ１１ｂの長さｔ１１ｂに対する第１極性期間Ｐ１１ａの長さｔ１１ａの比、すなわち、第２極性の保持時間に対する第１極性の保持時間の保持時間比を示している。
【００９７】
【表１】
0006476991.tif 000002
【００９８】
表１では、一例として、第１単位駆動期間Ｕ１１ａから第１単位駆動期間Ｕ１１ｆの順に、第１極性期間Ｐ１１ａの長さｔ１１ａが小さくなるように設定されている。言い換えると、第１交流期間ＰＨ１１内において、複数の第１極性期間Ｐ１１ａの長さｔ１１ａは、時間的に後に設けられる第１極性期間Ｐ１１ａほど、小さくなるように設定されている。
【００９９】
第２交流期間ＰＨ２１の第２単位駆動期間Ｕ２１において、第１極性期間Ｐ２１ａの長さｔ２１ａに対する第２極性期間Ｐ２１ｂの長さｔ２１ｂの比は、第１単位駆動期間Ｕ１１と同様に、１より大きい。言い換えると、第２単位駆動期間Ｕ２１において、第１極性に保持される保持時間に対する第２極性に保持される保持時間の保持時間比は、所定値Ｘ（Ｘ＞１）以上となるように設定される。そのため、第２単位駆動期間Ｕ２１においては、第２極性期間Ｐ２１ｂの長さｔ２１ｂは、第１極性期間Ｐ２１ａの長さｔ２１ａより大きい。
【０１００】
これにより、複数の第２単位駆動期間Ｕ２１が連続して構成されている第２交流期間ＰＨ２１においては、第２極性期間Ｐ２１ｂの長さｔ２１ｂの合計が、第１極性期間Ｐ２１ａの長さｔ２１ａの合計より大きい。したがって、第２交流期間ＰＨ２１においては、第２極性期間Ｐ２１ｂにおいて陽極となる第２電極９３が加熱される。
【０１０１】
上述したように、本実施形態においては、所定値Ｘは、３．０以上に設定される。すなわち、第２交流期間ＰＨ２１における、第１極性期間Ｐ２１ａの長さｔ２１ａに対する第２極性期間Ｐ２１ｂの長さｔ２１ｂの比（保持時間比）は、３．０以上である。
このように設定することで、第２交流期間ＰＨ２１において、第１電極９２の温度が低下することを抑制しつつ、第２電極９３の溶融量をより向上できる。
【０１０２】
本実施形態においては、例えば、第２単位駆動期間Ｕ２１における第２極性期間Ｐ２１ｂの長さｔ２１ｂは、第１単位駆動期間Ｕ１１における第１極性期間Ｐ１１ａの長さｔ１１ａと同様に、１．０ｍｓ（ミリ秒）以上である。
このように設定することで、加熱する側の電極における先端の突起の溶融量を向上できる。
【０１０３】
また、第２単位駆動期間Ｕ２１における第２極性期間Ｐ２１ｂの長さｔ２１ｂは、第１単位駆動期間Ｕ１１における第１極性期間Ｐ１１ａの長さｔ１１ａと同様に、５．０ｍｓ（ミリ秒）以下、すなわち、１００Ｈｚの交流電流の半周期の長さ以下が好ましい。第２極性期間Ｐ２１ｂにおいて陰極である第１電極９２の温度が低下することを効果的に抑制できるためである。
【０１０４】
本実施形態において、第２単位駆動期間Ｕ２１における第１極性期間Ｐ２１ａの長さｔ２１ａは、第１交流期間ＰＨ１１における第２極性期間Ｐ１１ｂの長さｔ１１ｂと同様に、例えば、約０．１６ｍｓ（ミリ秒）以上であり、かつ、１．０ｍｓ（ミリ秒）より小さい。
【０１０５】
以上に説明したように、本実施形態の制御部４０は、駆動電流波形ＤＷ１に従って、上記説明した各期間に応じた駆動電流Ｉが放電灯９０に供給されるようにして放電灯駆動部２３０を制御する。
【０１０６】
上記の制御部４０による放電灯駆動部２３０の制御は、放電灯駆動方法として表現することもできる。すなわち、本実施形態の放電灯駆動方法は、第１電極９２および第２電極９３を有する放電灯９０に駆動電流Ｉを供給して、放電灯９０を駆動させる放電灯駆動方法であって、放電灯９０に交流電流が供給される第１交流期間ＰＨ１１と、放電灯９０に交流電流が供給される第２交流期間ＰＨ２１と、を有し、第１交流期間ＰＨ１１は、第１電極９２が陽極となる第１極性期間Ｐ１１ａと第２電極９３が陽極となる第２極性期間Ｐ１１ｂとからなる第１単位駆動期間Ｕ１１が複数連続して構成され、第２交流期間ＰＨ２１は、第１極性期間Ｐ２１ａと第２極性期間Ｐ２１ｂとからなる第２単位駆動期間Ｕ２１が複数連続して構成され、第１単位駆動期間Ｕ１１における、第２極性期間Ｐ１１ｂの長さｔ１１ｂに対する第１極性期間Ｐ１１ａの長さｔ１１ａの比は、１より大きく、第２単位駆動期間Ｕ２１における、第１極性期間Ｐ２１ａの長さｔ２１ａに対する第２極性期間Ｐ２１ｂの長さｔ２１ｂの比は、１より大きいことを特徴とする。
【０１０７】
本実施形態によれば、第１交流期間ＰＨ１１を構成する第１単位駆動期間Ｕ１１において、第２極性期間Ｐ１１ｂの長さｔ１１ｂに対する第１極性期間Ｐ１１ａの長さｔ１１ａの比が１より大きい。そのため、第１交流期間ＰＨ１１において、第１極性期間Ｐ１１ａの長さｔ１１ａの合計が、第２極性期間Ｐ１１ｂの長さｔ１１ｂの合計よりも大きくなり、第１極性期間Ｐ１１ａにおいて陽極となる第１電極９２の突起５５２ｐの溶融量を向上できる。
【０１０８】
一方で、第１交流期間ＰＨ１１を構成する複数の第１単位駆動期間Ｕ１１ごとに、第１極性期間Ｐ１１ａよりも短い時間、反対極性となる第２極性期間Ｐ１１ｂが設けられているため、第２極性期間Ｐ１１ｂにおいて陽極となる第２電極９３の温度が低下することを抑制できる。これにより、第２電極９３の突起５６２ｐが変形することを抑制でき、フリッカーが生じることを抑制できる。第２交流期間ＰＨ２１においても、極性が反転する点を除いて同様である。
【０１０９】
したがって、本実施形態によれば、加熱される側の電極における先端の突起の溶融量を向上させつつ、加熱されるのと逆側の電極における先端の突起の変形を抑制してフリッカーを抑制できるため、放電灯９０の寿命を向上できる放電灯駆動装置が得られる。
【０１１０】
また、本実施形態によれば、所定値Ｘが３．０以上に設定されるため、すなわち、第２極性期間Ｐ１１ｂの長さｔ１１ｂに対する第１極性期間Ｐ１１ａの長さｔ１１ａの比が３．０以上であるため、第２電極９３の温度が低下することを抑制しつつ、第１交流期間ＰＨ１１において第１電極９２の突起５５２ｐの溶融量を向上できる。したがって、第２電極９３の突起５６２ｐが変形してフリッカーが生じることを抑制できるとともに、第１電極９２の突起５５２ｐを溶融して成長させることができ、突起５５２ｐの形状を太く維持できる。
【０１１１】
また、本実施形態によれば、第１単位駆動期間Ｕ１１における第１極性期間Ｐ１１ａの長さは、１．０ｍｓ（ミリ秒）以上である。そのため、第１交流期間ＰＨ１１において第１電極９２が加熱される時間を十分に長くすることができ、第１電極９２を適切に溶融できる。
【０１１２】
また、本実施形態によれば、第１単位駆動期間Ｕ１１における第２極性期間Ｐ１１ｂの長さｔ１１ｂは、０．１６ｍｓ（ミリ秒）以上であり、かつ、１．０ｍｓ（ミリ秒）より小さく設定される。これにより、第１交流期間ＰＨ１１において、第２電極９３の温度が低下することを抑制しつつ、第１電極９２の溶融量をより向上できる。
【０１１３】
また、本実施形態によれば、第１交流期間ＰＨ１１の長さｔ１１が５．０ｍｓ（ミリ秒）以上に設定される。これにより、第１電極９２を適切に溶融することができる。
【０１１４】
また、本実施形態によれば、第１交流期間ＰＨ１１の長さｔ１１と第２交流期間ＰＨ２１の長さｔ２１とは、等しく設定される。そのため、第１電極９２と第２電極９３とをバランスよく加熱して溶融することができる。
【０１１５】
また、本実施形態によれば、隣り合う第１単位駆動期間Ｕ１１の長さは、互いに異なるため、第１極性と第２極性とが切り替わるタイミングが、不規則になる。そのため、第１極性と第２極性とが切り替わる際に生じる、駆動電流Ｉのオーバーシュートがプロジェクター５００の液晶パネル５６０Ｒ，５６０Ｇ，５６０Ｂと干渉してノイズが発生することを抑制できる。
【０１１６】
また、本実施形態によれば、第１交流期間ＰＨ１１において第２極性期間Ｐ１１ｂを挟んで隣り合う第１極性期間Ｐ１１ａの長さは、互いに異なるため、第１単位駆動期間Ｕ１１ごとに第１電極９２に加えられる熱負荷が変動する。これにより、第１電極９２の溶融度合いが変動し、突起５５２ｐの成長が安定する。
【０１１７】
また、第１極性期間Ｐ１１ａで陰極となる第２電極９３は、第２極性期間Ｐ１１ｂが設けられることによって、温度低下がある程度抑制されるものの、第２電極９３の温度は、第１交流期間ＰＨ１１内において、時間の経過とともに徐々に低下する場合がある。
【０１１８】
これに対して、本実施形態の表１に示した一例によれば、第１交流期間ＰＨ１１内において、複数の第１極性期間Ｐ１１ａの長さｔ１１ａは、時間的に後に設けられる第１極性期間Ｐ１１ａほど、小さくなるように設定される。そのため、第１交流期間ＰＨ１１内において、時間が経過するほど、第２極性期間Ｐ１１ｂに切り替わる間隔が短くなり、第２電極９３の温度が低下することをより抑制できる。
【０１１９】
なお、本実施形態においては、以下の構成および方法を採用してもよい。
【０１２０】
本実施形態においては、第１交流期間ＰＨ１１に含まれる第１単位駆動期間Ｕ１１の数および第２交流期間ＰＨ２１に含まれる第２単位駆動期間Ｕ２１の数は、５つ以下であってもよいし、７つ以上であってもよい。
また、本実施形態においては、第１交流期間ＰＨ１１に含まれる第１単位駆動期間Ｕ１１の数と、第２交流期間ＰＨ２１に含まれる第２単位駆動期間Ｕ２１の数とは、それぞれ異なっていてもよい。
【０１２１】
また、本実施形態においては、第１交流期間ＰＨ１１と第２交流期間ＰＨ２１とのうち、いずれか一方のみにおいて、単位駆動期間の長さが互いに異なってもよい。
また、本実施形態においては、第１交流期間ＰＨ１１と第２交流期間ＰＨ２１とのうち、第１交流期間ＰＨ１１のみにおいて、第２極性期間Ｐ１１ｂを挟んで時間的に隣り合う第１極性期間Ｐ１１ａの長さｔ１１ａが互いに異なってもよいし、第２交流期間ＰＨ２１のみにおいて、第１極性期間Ｐ２１ａを挟んで隣り合う第２極性期間Ｐ２１ｂの長さｔ２１ｂが互いに異なっていてもよい。
【０１２２】
また、本実施形態においては、第１交流期間ＰＨ１１と第２交流期間ＰＨ２１とのうち、第１交流期間ＰＨ１１内のみにおいて、第１極性期間Ｐ１１ａの長さｔ１１ａが、時間的に後に設けられる第１極性期間Ｐ１１ａほど、小さくなるように設定されてもよいし、第２交流期間ＰＨ２１内のみにおいて、第２極性期間Ｐ２１ｂの長さｔ２１ｂが、時間的に後に設けられる第２極性期間Ｐ２１ｂほど、小さくなるように設定されてもよい。
【０１２３】
また、本実施形態においては、第１交流期間ＰＨ１１に含まれる複数の第１単位駆動期間Ｕ１１の長さは、同じであってもよいし、ランダムに変化してもよい。
また、本実施形態においては、第１単位駆動期間Ｕ１１に含まれる第１極性期間Ｐ１１ａの長さは、同じであってもよいし、ランダムに変化してもよい。
【０１２４】
また、本実施形態においては、所定値Ｘは、１より大きく、３．０より小さくてもよい。
また、本実施形態においては、第１交流期間ＰＨ１１の長さｔ１１は、５．０ｍｓ（ミリ秒）より小さくてもよい。
【０１２５】
また、本実施形態においては、第１極性期間Ｐ１１ａの長さｔ１１ａは、１．０ｍｓ（ミリ秒）より小さくてもよい。
また、本実施形態においては、第２極性期間Ｐ１１ｂの長さｔ１１ｂは、０．１６ｍｓ（ミリ秒）より小さくてもよいし、１．０ｍｓ（ミリ秒）以上であってもよい。
【０１２６】
また、本実施形態においては、駆動電力Ｗｄや、ランプ電圧Ｖｌａの変化に応じて、駆動電流波形ＤＷ１における各期間の長さを変化させてもよい。以下、詳細に説明する。
【０１２７】
表２は、駆動電力Ｗｄの変化に応じて、第１交流期間ＰＨ１１の長さｔ１１を変化させた場合の一例を示す表である。
【０１２８】
【表２】
0006476991.tif 000003
【０１２９】
表２に示すように、この構成においては、第１交流期間ＰＨ１１の長さｔ１１は、放電灯９０に供給される駆動電力Ｗｄが小さいほど、大きく設定される。
【０１３０】
放電灯９０に供給される駆動電力Ｗｄが小さくなると、放電灯９０に供給される駆動電流Ｉが小さくなるため、第１電極９２および第２電極９３に加えられる熱負荷が低下し、第１電極９２および第２電極９３の突起５５２ｐ，５６２ｐは、溶融されにくくなる。そのため、突起５５２ｐ，５６２ｐが変形し、フリッカーが生じる場合があった。
【０１３１】
これに対して、この構成によれば、第１交流期間ＰＨ１１の長さｔ１１が、放電灯９０に供給される駆動電力Ｗｄが小さいほど、大きくなるように設定される。そのため、第１極性期間Ｐ１１ａの合計時間、すなわち、第１電極９２が加熱される時間を大きくでき、第１電極９２の突起５５２ｐの溶融量を向上できる。これにより、この構成によれば、駆動電力Ｗｄが小さくなった場合に、第１電極９２の突起５５２ｐの形状を維持しやすく、フリッカーの発生を抑制できる。第２交流期間ＰＨ２１についても同様である。
【０１３２】
また、表２に示すように、この構成においては、それぞれ第１極性期間Ｐ１１ａおよび第２極性期間Ｐ１１ｂの平均の長さは、駆動電力Ｗｄが小さいほど、小さく設定される。
【０１３３】
駆動電力Ｗｄが小さくなった際に、上述のようにして第１交流期間ＰＨ１１の長さｔ１１を大きく設定すると、第１電極９２の加熱時間が大きくなる一方で、第２電極９３の温度が低下する時間が長くなる。そのため、第２電極９３の突起５６２ｐが変形し、フリッカーが生じる場合がある。
【０１３４】
これに対して、この構成によれば、それぞれ第１極性期間Ｐ１１ａおよび第２極性期間Ｐ１１ｂの平均の長さが、放電灯９０に供給される駆動電力Ｗｄが小さいほど、小さく設定される。そのため、第１極性から第２極性に切り替わる間隔を短くでき、第２電極９３が加熱される頻度を向上できる。したがって、この構成によれば、駆動電力Ｗｄが小さくなることに伴って第１交流期間ＰＨ１１の長さｔ１１を大きく設定した場合に、第２電極９３の温度が低下し、変形することを抑制できる。
【０１３５】
表３は、ランプ電圧Ｖｌａの変化に応じて、第１交流期間ＰＨ１１の長さｔ１１を変化させた場合の一例を示す表である。
【０１３６】
【表３】
0006476991.tif 000004
【０１３７】
表３に示すように、この構成においては、第１交流期間ＰＨ１１の長さｔ１１は、放電灯９０の第１電極９２と第２電極９３との間に印加されるランプ電圧Ｖｌａが大きいほど、大きく設定される。
【０１３８】
放電灯９０が経年等によって劣化すると、第１電極９２と第２電極９３との間の距離が大きくなり、ランプ電圧Ｖｌａが大きくなる。定電力駆動においては、ランプ電圧Ｖｌａが大きくなると、駆動電流Ｉが小さくなるため、第１電極９２および第２電極９３に加えられる熱負荷が低下し、第１電極９２および第２電極９３の突起５５２ｐ，５６２ｐが溶融しにくくなる。そのため、第１電極９２および第２電極９３の突起５５２ｐ，５６２ｐを十分に溶融できず、突起５５２ｐ，５６２ｐの太さを維持できない場合があった。
【０１３９】
これに対して、この構成によれば、第１交流期間ＰＨ１１の長さｔ１１は、放電灯９０に印加されるランプ電圧Ｖｌａが大きいほど、大きく設定される。そのため、第１電極９２が溶融しにくくなるほど、第１電極９２が加熱される時間を大きくでき、第１電極９２が溶融されないことを抑制できる。
【０１４０】
また、この構成においては、第１交流期間ＰＨ１１において、それぞれ第１極性期間Ｐ１１ａおよび第２極性期間Ｐ１１ｂの平均の長さは、ランプ電圧Ｖｌａが大きいほど、小さく設定される。
【０１４１】
上述したのと同様に、第１交流期間ＰＨ１１の長さｔ１１を大きくすると、第２電極９３の温度が低下する時間が長くなるため、第２電極９３の突起５６２ｐが変形し、フリッカーが生じる場合がある。
【０１４２】
これに対して、この構成によれば、第１交流期間ＰＨ１１における第１極性期間Ｐ１１ａおよび第２極性期間Ｐ１１ｂのそれぞれの平均の長さが、放電灯９０に印加されるランプ電圧Ｖｌａが大きいほど、小さく設定される。そのため、上述したのと同様に、ランプ電圧Ｖｌａが大きくなることに伴って第１交流期間ＰＨ１１の長さｔ１１を大きく設定した場合に、第２電極９３の温度が低下して、変形することを抑制できる。
【０１４３】
＜第２実施形態＞
第２実施形態は、第１実施形態に対して、第１交流期間の長さと、第２交流期間の長さとが異なる。
なお、以下の説明においては、上記実施形態と同様の構成については同一の符号付す等により説明を省略する場合がある。
【０１４４】
図８は、本実施形態の放電灯９０に供給される駆動電流Ｉの駆動電流波形ＤＷ２を示す図である。図８において、縦軸は駆動電流Ｉを示しており、横軸は時間Ｔを示している。
本実施形態において制御部４０は、図８に示す駆動電流波形ＤＷ２に従って放電灯駆動部２３０を制御する。
【０１４５】
駆動電流波形ＤＷ２は、図８に示すように、複数の制御サイクルＣ２が連続して構成される。制御サイクルＣ２は、第１交流期間ＰＨ１１と、第２交流期間ＰＨ２２と、を含む。すなわち、駆動電流波形ＤＷ２（駆動電流Ｉ）は、第１交流期間ＰＨ１１と、第２交流期間ＰＨ２２と、を有する。第２交流期間ＰＨ２２は、駆動電流Ｉとして、電流値Ｉｍ１と電流値−Ｉｍ１との間で極性が反転される交流電流が放電灯９０に供給される期間である。
【０１４６】
第２交流期間ＰＨ２２は、第２電極９３が加熱される期間である。第２交流期間ＰＨ２２は、第１電極９２が陽極となる第１極性期間Ｐ２２ａと第２電極９３が陽極となる第２極性期間Ｐ２２ｂとからなる第２単位駆動期間Ｕ２２が複数連続して構成されている。本実施形態においては、第２交流期間ＰＨ２２は、例えば、３つの第２単位駆動期間Ｕ２２、すなわち、第２単位駆動期間Ｕ２２ａと、第２単位駆動期間Ｕ２２ｂと、第２単位駆動期間Ｕ２２ｃと、がこの順で連続して構成されている。
【０１４７】
本実施形態において、第２交流期間ＰＨ２２の第２単位駆動期間Ｕ２２ａ〜Ｕ２２ｃは、第１実施形態における第２交流期間ＰＨ２１の第２単位駆動期間Ｕ２１ａ〜Ｕ２１ｃと同様である。
【０１４８】
本実施形態においては、第１交流期間ＰＨ１１の長さｔ１１と、第２交流期間ＰＨ２２の長さｔ２２とは、異なる。より詳細には、第２交流期間ＰＨ２２の長さｔ２２は、第１交流期間ＰＨ１１の長さｔ１１よりも小さい。
【０１４９】
本実施形態によれば、第１交流期間ＰＨ１１の長さｔ１１が、第２交流期間ＰＨ２２の長さｔ２２より大きいため、制御サイクルＣ２内において、第２電極９３と比べて第１電極９２の方がより加熱される。そのため、制御サイクルＣ２が繰り返されることで、第１電極９２全体が高温となり、突起５５２ｐをより溶融させやすくなる。制御サイクルＣ２が繰り返される合計時間は、例えば、０．２５ｓ（秒）以上とすることで、第１電極９２を効果的に加熱できる。
【０１５０】
なお、ある程度、制御サイクルＣ２を繰り返した後には、制御サイクルＣ２に対して、極性を反転させた制御サイクルを複数回繰返すことで、第１電極９２と第２電極９３との両方の突起５５２ｐ，５６２ｐを溶融し、突起５５２ｐ，５６２ｐの成長を促進できる。
【０１５１】
なお、上記説明においては、第１交流期間ＰＨ１１より短い第２交流期間ＰＨ２２が、第１実施形態の第２交流期間ＰＨ２１における第２単位駆動期間Ｕ２１ａ〜Ｕ２１ｃと同様の第２単位駆動期間Ｕ２２ａ〜Ｕ２２ｃで構成される期間としたが、これに限られない。
本実施形態においては、第１交流期間ＰＨ１１より短い第２交流期間として、第１実施形態と同様にして、種々の第２単位駆動期間で構成された期間を選択できる。
【０１５２】
＜第３実施形態＞
第３実施形態は、第１実施形態に対して、第１交流期間と第２交流期間との直後に、第３交流期間が設けられている点において異なる。
なお、以下の説明においては、上記実施形態と同様の構成については同一の符号付す等により説明を省略する場合がある。
【０１５３】
図９は、本実施形態の放電灯９０に供給される駆動電流Ｉの駆動電流波形ＤＷ３を示す図である。図９において、縦軸は駆動電流Ｉを示しており、横軸は時間Ｔを示している。
本実施形態において制御部４０は、図９に示す駆動電流波形ＤＷ３に従って放電灯駆動部２３０を制御する。
【０１５４】
駆動電流波形ＤＷ３は、図９に示すように、複数の制御サイクルＣ３が連続して構成される。制御サイクルＣ３は、第１交流期間ＰＨ１１と、第３交流期間ＰＨ３１と、第２交流期間ＰＨ２１と、第３交流期間ＰＨ３２と、をこの順で含む。すなわち、駆動電流波形ＤＷ３（駆動電流Ｉ）は、第１交流期間ＰＨ１１と、第３交流期間ＰＨ３１と、第２交流期間ＰＨ２１と、第３交流期間ＰＨ３２と、を有する。第３交流期間ＰＨ３１および第３交流期間ＰＨ３２は、駆動電流Ｉとして、電流値Ｉｍ１と電流値−Ｉｍ１との間で極性が反転される交流電流が放電灯９０に供給される期間である。
【０１５５】
第３交流期間ＰＨ３１は、第１交流期間ＰＨ１１の直後に設けられる。第３交流期間ＰＨ３１は、第１電極９２が陽極となる第１極性期間Ｐ３１ａと第２電極９３が陽極となる第２極性期間Ｐ３１ｂとからなる第３単位駆動期間Ｕ３１が複数連続して構成されている。本実施形態においては、第３交流期間ＰＨ３１は、例えば、２つの第３単位駆動期間Ｕ３１、すなわち、第３単位駆動期間Ｕ３１ａと、第３単位駆動期間Ｕ３１ｂ、がこの順で連続して構成されている。
【０１５６】
第３交流期間ＰＨ３２は、第２交流期間ＰＨ２１の直後に設けられる。第３交流期間ＰＨ３２は、第１電極９２が陽極となる第１極性期間Ｐ３２ａと第２電極９３が陽極となる第２極性期間Ｐ３２ｂとからなる第３単位駆動期間Ｕ３２が複数連続して構成されている。本実施形態においては、第３交流期間ＰＨ３２は、例えば、２つの第３単位駆動期間Ｕ３２、すなわち、第３単位駆動期間Ｕ３２ａと、第３単位駆動期間Ｕ３２ｂ、がこの順で連続して構成されている。
【０１５７】
なお、本明細書において、第３交流期間が第１交流期間または第２交流期間の直後に設けられるとは、第３交流期間が、第１交流期間または第２交流期間が終了した後、他の期間を挟まずに、第１交流期間または第２交流期間と連続して設けられることを含む。
【０１５８】
第３単位駆動期間Ｕ３１において、第１極性期間Ｐ３１ａの長さｔ３１ａと、第２極性期間Ｐ３１ｂの長さｔ３１ｂと、は等しい。
第３単位駆動期間Ｕ３２において、第１極性期間Ｐ３２ａの長さｔ３２ａと、第２極性期間Ｐ３２ｂの長さｔ３２ｂと、は等しい。
【０１５９】
本実施形態の駆動電流波形ＤＷ３においては、第３交流期間ＰＨ３１と第３交流期間ＰＨ３２とは、極性が反転している点を除いて同様の波形を有する。
したがって、第３交流期間ＰＨ３１の長さｔ３１と、第３交流期間ＰＨ３２の長さｔ３２とは、等しい。本実施形態においては、第３交流期間ＰＨ３１の長さｔ３１および第３交流期間ＰＨ３２の長さｔ３２は、第１交流期間ＰＨ１１の長さｔ１１および第２交流期間ＰＨ２１の長さｔ２１より小さい。
【０１６０】
第３交流期間ＰＨ３１，３２における駆動電流Ｉの周波数は、目的に応じて設定される。例えば、第３交流期間ＰＨ３１，３２で加熱された電極をさらに加熱して高温とする場合には、第３交流期間ＰＨ３１，３２における駆動電流Ｉの周波数を、一例として１０Ｈｚより大きく、３００Ｈｚ以下程度の、比較的低い周波数に設定する。このように設定することで、第３交流期間ＰＨ３１，３２で加熱された電極をさらに加熱し、電極の温度を高温にできる。
【０１６１】
また、例えば、第３交流期間ＰＨ３１，３２で加熱されて溶融した電極の突起の成長を促進させる場合には、第３交流期間ＰＨ３１，３２における駆動電流Ｉの周波数を、一例として６００Ｈｚ以上、１０００Ｈｚ以下の比較的高い周波数に設定する。このように設定することで、第３交流期間ＰＨ３１，３２で加熱されて溶融した電極の突起が凝固して、突起の成長が促進される。
【０１６２】
また、例えば、第３交流期間ＰＨ３１，３２における駆動電流Ｉの周波数を、電極の突起の形状を整えることを目的として放電灯９０を駆動するのに用いられる周波数に設定することもできる。
【０１６３】
このように、本実施形態によれば、第１交流期間ＰＨ１１と第２交流期間ＰＨ２１との直後に、それぞれ第３交流期間ＰＨ３１と第３交流期間ＰＨ３２とが設けられているため、上述したようにして第３交流期間ＰＨ３１，３２における駆動電流Ｉの周波数を調整することで、第１電極９２および第２電極９３の突起５５２ｐ，５６２ｐの形状や、成長度合いを制御できる。
【０１６４】
また、例えば、直流電流を放電灯９０に供給して、直流電流と比較的高い周波数を有する交流電流との組み合わせで電極の溶融と凝固とを繰り返して突起の成長を促進させる方法を選択する場合、直流電流を供給している際に陰極となる電極の温度が低下する問題があった。また、直流電流を供給する期間の長さが放電灯点灯装置１０の極性反転回路３０によって制限されるため、極性の偏りを持って放電灯９０を駆動する時間を一定以上長くすることが困難である問題があった。
【０１６５】
これに対して、本実施形態によれば、直流電流の代わりに第１交流期間ＰＨ１１および第２交流期間ＰＨ２１を用いた構成となるため、第１実施形態および第２実施形態で述べたように、第１交流期間ＰＨ１１および第２交流期間ＰＨ２１においては、加熱される一方の電極に対して他方の電極の温度が低下することを抑制できる。
【０１６６】
また、駆動電流波形ＤＷ３は、交流期間同士の組み合わせで構成されるため、極性反転回路３０の制限を受けにくく、極性の偏りを持って放電灯９０を駆動する時間を長くすることが容易である。
【０１６７】
なお、本実施形態においては、以下の構成を採用することもできる。
【０１６８】
上記説明においては、第１交流期間ＰＨ１１の直後に第３交流期間ＰＨ３１を設け、第２交流期間ＰＨ２１の直後に第３交流期間ＰＨ３２を設ける構成としたが、これに限られない。本実施形態においては、第１交流期間ＰＨ１１と第２交流期間ＰＨ２１とのうちのいずれか一方の直後のみに第３交流期間が設けられる構成としてもよい。すなわち、第３交流期間は、第１交流期間ＰＨ１１および第２交流期間ＰＨ２１のうち少なくとも一方の直後に設けられていればよい。
【０１６９】
また、本実施形態においては、第３交流期間ＰＨ３１，３２の長さｔ３１，ｔ３２が、第１交流期間ＰＨ１１の長さｔ１１および第２交流期間ＰＨ２１の長さｔ２１より大きくてもよい。
【０１７０】
なお、上記第１実施形態から第３実施形態において述べた各期間の構成は、相互に組み合わせ可能であり、その組み合わせの順番や、繰り返し回数等は、特に限定されない。
【０１７１】
また、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１７２】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【実施例】
【０１７３】
実施例として、第１実施形態の駆動電流波形ＤＷ１に従って、定格２００Ｗの放電灯を駆動した。実施例における各期間のパラメーターは、上記の表１に示す通りとした。表１においては、第１交流期間ＰＨ１１および第２交流期間ＰＨ２１の長さは、１２．５４ｍｓ（ミリ秒）、すなわち、約４０Ｈｚの交流電流の半周期の長さに相当し、各交流期間における加熱する側の電極が陽極となる極性期間の割合は、約８１％である。すなわち、第１交流期間ＰＨ１１および第２交流期間ＰＨ２１において、加熱する側の電極が陽極となる極性期間の合計は、１０．１４ｍｓ（ミリ秒）である。
【０１７４】
比較例として、第１交流期間ＰＨ１１および第２交流期間ＰＨ２１において、加熱する側の電極が陽極となる極性期間の合計である１０．１４ｍｓ（ミリ秒）ごとに極性が切り替わる交流電流によって、定格２００Ｗの放電灯を駆動した。１０．１４ｍｓ（ミリ秒）ごとに極性が切り替わる交流電流とは、すなわち、周波数が約４９Ｈｚの矩形波交流電流である。
【０１７５】
実施例、比較例ともに、放電灯を駆動電力１４０Ｗで１時間駆動したときの放電状態、および電極の突起の形状について観察した。
その結果、比較例においては、突起が変形して扁平化し、フリッカーが発生していることが確認できた。
一方、実施例においては、突起は太く維持され、安定した放電が持続していることが確認できた。
【０１７６】
以上の実施例により、本発明の有用性を確認できた。
【符号の説明】
【０１７７】
４０…制御部、９０…放電灯、９２…第１電極、９３…第２電極、Ｗｄ…駆動電力、２００…光源装置、２３０…放電灯駆動部、３５０…投射光学系、５００…プロジェクター、１０…放電灯点灯装置（放電灯駆動装置）、６０…動作検出部（電圧検出部）、Ｉ…駆動電流、Ｖｌａ…ランプ電圧（電極間電圧）、ＤＷ１，ＤＷ２，ＤＷ３…駆動電流波形、ＰＨ１１…第１交流期間、Ｐ１１ａ，Ｐ２１ａ，Ｐ２２ａ，Ｐ３１ａ，Ｐ３２ａ…第１極性期間、Ｐ１１ｂ，Ｐ２１ｂ，Ｐ２２ｂ，Ｐ３１ｂ，Ｐ３２ｂ…第２極性期間、ＰＨ２１，ＰＨ２２…第２交流期間、ＰＨ３１，ＰＨ３２…第３交流期間、Ｕ１１，Ｕ１１ａ，Ｕ１１ｂ，Ｕ１１ｃ，Ｕ１１ｄ，Ｕ１１ｅ，Ｕ１１ｆ…第１単位駆動期間、Ｕ２１，Ｕ２１ａ，Ｕ２１ｂ，Ｕ２１ｃ，Ｕ２１ｄ，Ｕ２１ｅ，Ｕ２１ｆ，Ｕ２２，Ｕ２２ａ，Ｕ２２ｂ，Ｕ２２ｃ…第２単位駆動期間、Ｕ３１，Ｕ３１ａ，Ｕ３１ｂ，Ｕ３２，Ｕ３２ａ，Ｕ３２ｂ…第３単位駆動期間
【図１】
0006476991.tif 000005
【図２】
0006476991.tif 000006
【図３】
0006476991.tif 000007
【図４】
0006476991.tif 000008
【図５】
0006476991.tif 000009
【図６】
0006476991.tif 000010
【図７】
0006476991.tif 000011
【図８】
0006476991.tif 000012
【図９】
0006476991.tif 000013